【手続補正書】
【提出日】平成18年12月28日(2006.12.28)
【手続補正１】
【補正対象書類名】明細書
【補正対象項目名】０００７
【補正方法】変更
【補正の内容】
【０００７】
ITI（Insert and Track Information)セクタは、３６００ビットの長さとされ、その先頭にはクロックを生成するための１４００ビットのプリアンブルが配置され、その次にはSSA（Start Sync Area）とTIA（Track Information Area）が１９２０ビット分の長さ設けられている。SSAには、TIAの位置を検出するために必要なビット列（シンク番号）が配置されている。TIAには民生用のDVフォーマットであることを示す情報、SPモードまたはLPモードであることを表す情報、１フレームのパイロット信号のパターンを表す情報などが記録されている。TIAの次には、２８０ビットのポストアンブルが配置されている。
【手続補正２】
【補正対象書類名】明細書
【補正対象項目名】００１４
【補正方法】変更
【補正の内容】
【００１４】
【発明が解決しようとする課題】
DVフォーマットにおいては、このように、ITIセクタ、オーディオセクタ、ビデオセクタ、およびサブコードセクタの間に、ギャップＧ１乃至Ｇ３が形成されているばかりでなく、各セクタ毎にプリアンブルとポストアンブルが設けられており、いわゆるオーバーヘッドが多く、実質的なデータの記録レートを充分に得ることができない課題があった。
【手続補正３】
【補正対象書類名】明細書
【補正対象項目名】００１５
【補正方法】変更
【補正の内容】
【００１５】
その結果、例えば、高品位の映像データ（以下、HD（High Definition）映像データと称する）を記録するには、２５Mbps程度のビットレートが必要であるが、この記録フォーマットでは、MPEG（Moving Picture Expert Group）方式のMP@HLに対するビデオレートは、サーチ画像用データを除くと、せいぜい２２Mbps程度しか確保できず、結果的に、標準の品位の映像データ（以下、SD（Standard Definition）映像データと称する）は記録できても、HD映像データをMP@HL、MP@H−１４方式などで圧縮して記録すると十分な性能を確保することができない課題があった。
【手続補正４】
【補正対象書類名】明細書
【補正対象項目名】００３８
【補正方法】変更
【補正の内容】
【００３８】
変調部９は、スイッチ８を介して入力されたデータを、磁気テープ２１に記録するのに適した方式(DVフォーマットにおける場合と同一の方式)で変調し、パラレルシリアル（P/S）変換部１０に供給する。
【手続補正５】
【補正対象書類名】明細書
【補正対象項目名】００５２
【補正方法】変更
【補正の内容】
【００５２】
１４１個のシンクブロックのうちの１２３個のシンクブロックは、１６ビットのシンク、２４ビットのID、８ビットのシンクブロック（SB）ヘッダ、７６０ビットのメインデータ、そして８０ビットのパリティＣ１とされる。
【手続補正６】
【補正対象書類名】明細書
【補正対象項目名】００５８
【補正方法】変更
【補正の内容】
【００５８】
ID2には、メインセクタに記録されているデータが、新規に記録されたものか（何も記録されていないところにはじめて記録されたものか）、または上書き記録されたものか（何らかのデータにオーバーライトされたものか）を示す情報が、オーバーライトプロテクトとして配置される。例えば、上書き記録をする場合において、下地データが、ヘッドの瞬時クロッグ等により残っていたとき、新たに記録されるデータが、そのパリティＣ１が成立することより、訂正（誤訂正）される。そこで、それを防止するために、このオーバーライトプロテクトにより、新たに記録されたデータとの区別し、例えば、下地データと判断されたとき、このシンクブロックを全て無効（バーストエラー扱い）として、パリティＣ２によりイレージャ訂正を行うことができる。
【手続補正７】
【補正対象書類名】明細書
【補正対象項目名】００６９
【補正方法】変更
【補正の内容】
【００６９】
ここで、システムデータ（SBヘッダのｂ7乃至ｂ5に、値３で設定され、かつ、ｂ4乃至ｂ2に値０（AUX-V）、値１（AUX-A）、または値４（System）が設定されたメインセクタにメインデータおよびサブコードセクタのデータ部として記録されるAUXデータ）のパケット構造について説明する。
【手続補正８】
【補正対象書類名】明細書
【補正対象項目名】００８２
【補正方法】変更
【補正の内容】
【００８２】
１４１シンクブロックのうちの１８シンクブロックは、シンク、ID、パリティＣ２およびＣ１とされる。パリティＣ２は、図９において、SBヘッダまたはメインデータを、それぞれ縦方向に計算することで求められる。この演算は、誤り符号ID付加部５において行われる。なお、１８シンクブロックにすることより、パリティＣ２のシンクブロックの数の割合が、シンクブロックの数（１４１）に対して、１２．７％（＝１８／１４１）となり、連続エラーの訂正能力を２トラック以上にするために必要な比率（１２．５％（＝２トラック／１６トラック））より大きくすることができる。
【手続補正９】
【補正対象書類名】明細書
【補正対象項目名】００９２
【補正方法】変更
【補正の内容】
【００９２】
シンクブロック番号は、１トラックのサブコードセクタに含まれる１０個のサブコードシンクブロックのそれぞれに与えられる、０番乃至９番の番号である。  
【手続補正１０】
【補正対象書類名】明細書
【補正対象項目名】００９３
【補正方法】変更
【補正の内容】
【００９３】
ID2には、メインセクタにおけるID2と同様に、オーバーライトプロテクトが配置される。なお、サブコードセクタにおいては、このID2に、記録されているデータが、下地のものであることが示されている場合、シンクブロックを全て無効にして（取得できなかったものとして）処理が実行される。
【手続補正１１】
【補正対象書類名】明細書
【補正対象項目名】０１１３
【補正方法】変更
【補正の内容】
【０１１３】
誤り符号ID付加部５は、メインセクタの図９に示す各シンクブロックに、２４ビットのIDを付加する。また、図９に示すパリティＣ１を、各シンクブロック毎に計算し、付加するとともに、１４１シンクブロックのうちの１８シンクブロックには、SBヘッダとメインデータの代わりに、パリティＣ２を付加する。  
【手続補正１２】
【補正対象書類名】明細書
【補正対象項目名】０１１９
【補正方法】変更
【補正の内容】
【０１１９】
変調部９は、入力されたデータを、DVフォーマットに対応する方式で変調し、パラレルシリアル変換部１０に出力する。パラレルシリアル変換部１０は、入力されたデータをパラレルデータからシリアルデータに変換し、増幅器１１を介して、回転ヘッド１２に供給する。回転ヘッド１２は、入力されたデータを磁気テープ２１に記録する。
【手続補正１３】
【補正対象書類名】明細書
【補正対象項目名】０１３０
【補正方法】変更
【補正の内容】
【０１３０】
EPO＝ECC内のトラック先頭（＝サブコード_TTC−メインPIC_TTC）  これにより、EPOのヒストリ情報が無くても繋ぎ記録することができる。なお、サーチ走行中、該当TTCに達した後オフセット補正をしたTTC（目標位置）に近づいて行く必要がある。
【手続補正１４】
【補正対象書類名】明細書
【補正対象項目名】０１３３
【補正方法】変更
【補正の内容】
【０１３３】
回転ヘッド１２は磁気テープ２１に記録されているデータを再生し、増幅器４１に出力する。増幅器４１は入力信号を増幅し、A/D変換部４２に供給する。A/D変換部４２は、入力された信号をアナログ信号からデジタル信号に変換し、復調部４３に供給する。復調部４３は、A/D変換部４２より供給されたデータを、図２の変調部９における変調方式に対応する方式で復調する。
【手続補正１５】
【補正対象書類名】明細書
【補正対象項目名】０１３８
【補正方法】変更
【補正の内容】
【０１３８】
次に、その動作について説明する。回転ヘッド１２は、磁気テープ２１に、図３２に示すような形態で記録されているデータを再生し、増幅器４１により増幅させた後、A/D変換部４２に供給する。A/D変換部４２により、アナログ信号からデジタルデータに変換されたデータは、復調部４３に入力され、復調される。